(57)【要約】  ２つのコネクタ間の医療用流体の流路を開放するために、雌型ルアー・コネクタに結合する雄型ルアー・コネクタ２００。雄型コネクタは、２つの内部弁２０６、２０８と、真空状態形成構造体２１２、２１０とを有する。２つの弁及び真空状態形成構造体は、非係合の間、コネクタ間の境界面に残るいずれの流体も雄コネクタに引き戻し、次いで雄コネクタの遠位先端を密閉するように構成される。両方の弁は、雌型コネクタの前方面によって動かすことができるアクチュエータ・プラグ２２４によって開閉される。弾性部材２１０は雄型弁を閉鎖位置に偏向し、コネクタの係合が外れると、真空状態を形成する可変の内部容積２１２を含む。雄型弁は、雄型コネクタによって形成される真空状態が最大の流体ドロー・バック効果を有するように、内部雌型コネクタ弁の閉鎖と共に特定のシーケンスに合わせられる。
2008522729.tif 000002
【特許請求の範囲】
【請求項１】
医療用流体の流れのために前方接触面及び内部弁を有する雌型ルアー・コネクタと接続する雄型ルアー・コネクタであって、
前記雌型ルアー・コネクタと係合し、境界面を確立するように構成される遠位端、及び近位端を有する管状筐体と、
前記雄型コネクタが前記雌型コネクタとの係合から外れ前記雌型弁が閉鎖している期間に、前記管状筐体の前記遠位端に部分的真空状態を形成する減圧手段とを備え、
前記減圧手段が、前記雄型及び雌型コネクタが非係合状態である間、前記境界面から前記境界面に残る流体を引き出す雄型ルアー・コネクタ。
【請求項２】
前記減圧手段が前記管状筐体内に配置される、請求項１に記載の雄型ルアー・コネクタ。
【請求項３】
前記減圧手段が、前記管状筐体の前記近位端を通る前記流体の流れを制御する第１の弁を備える、請求項１に記載の雄型ルアー・コネクタ。
【請求項４】
前記減圧手段が、前記管状筐体の前記遠位端を通る前記流体の流れを制御する第２の弁を備える、請求項１に記載の雄型ルアー・コネクタ。
【請求項５】
前記減圧手段が前記管状筐体の前記近位端を通る前記流体の流れを制御する第１の弁を備え、
前記減圧手段が前記管状筐体の前記遠位端を通る前記流体の流れを制御する第２の弁を備え、
前記減圧手段がまた、前記減圧手段が前記部分的真空状態を形成する間、前記第２の弁を開放したままに制御する、請求項１に記載の雄型ルアー・コネクタ。
【請求項６】
前記減圧手段がまた、前記雌型コネクタが前記雄コネクタとの係合から外れる間、前記雌型コネクタ弁が閉鎖した後、前記第１の弁を最初に閉鎖するように制御し、前記第２の弁が開放したままであるように制御する、請求項５に記載の雄型ルアー・コネクタ。
【請求項７】
前記減圧手段が、前記第１の弁及び第２の弁の開閉を制御するアクチュエータを備え、
前記減圧手段がさらに、前記第１の弁及び第２の弁を開閉するようにアクチュエータを制御するために、前記雌型コネクタの前記前方接触面によって移動可能であるように配置される作用面を備える、請求項５に記載の雄型ルアー・コネクタ。
【請求項８】
前記第１の弁が管状筐体の近位端に配置される近位弁を備え、
前記第２の弁が管状筐体の遠位端に配置される遠位弁を備え、
前記アクチュエータが、前記近位及び遠位弁を共に開閉するために、管状筐体内に配置される請求項７に記載の雄型ルアー・コネクタ。
【請求項９】
前記減圧手段がさらに、前記近位及び遠位弁を共に閉鎖するためにアクチュエータを偏向するように配置される弾性部材を備える、請求項８に記載の雄型ルアー・コネクタ。
【請求項１０】
前記弾性部材が、前記近位及び遠位弁が閉鎖されると第１の容積を有し、前記遠位弁が開放されていると前記第１の容積より小さい第２の容積を有する、中を流体が流れる内部可変容積空隙を有し、
前記弾性部材が、前記遠位弁が閉鎖する間、前記第２の容積から前記第１の容積に移る際、部分的真空状態を形成する、請求項９に記載の雄型ルアー・コネクタ。
【請求項１１】
前記空隙が、前記雄型及び雌型コネクタが係合すると前記第２の容積を有し、
前記空隙が、前記雄型及び雌型コネクタが非係合状態にあると前記第１の容積に移り、これにより前記部分的真空状態を形成する、請求項１０に記載の雄型ルアー・コネクタ。
【請求項１２】
前記弾性部材が前記遠位弁用の弁台座及び前記近位弁用の弁台座を形成し、
前記アクチュエータが、前記遠位弁を閉鎖するために前記遠位弁台座に嵌合する前記遠位弁用の遠位弁部材を提供し、前記近位弁を閉鎖するために前記近位弁台座に嵌合する前記近位弁用の近位弁部材を提供する、請求項１１に記載の雄型ルアー・コネクタ。
【請求項１３】
前記弾性部材が作用面を提供し、
前記アクチュエータが前記弾性部材に接触して前記弾性部材内に配置され、
前記雌型コネクタの前記前方接触面との係合による前記弾性部材の移動により、前記遠位及び近位弁を開閉するアクチュエータの対応する移動が生じる、
請求項１２に記載の雄型ルアー・コネクタ。
【請求項１４】
医療用流体の流れのための経路を確立するために前方接触面及び内部弁を有する雌型コネクタと接続する雄型コネクタであって、
前記雌型ルアー・コネクタと係合し、境界面を確立するように構成される遠位端、及び近位端を有する管状筐体と、
前記管状筐体の前記遠位端を通る流体の流れを制御するのに使用するために配置される第１の弁台座と、
前記管状筐体内に配置され、前記第１の弁台座を越える流体の流れを阻止するために前記第１の弁台座に係合する第１の弁部材を有する内部プラグと、
前記第１の弁台座に係合するように前記内部プラグを偏向するために前記管状筐体内に配置され、前記第１の弁が閉鎖すると第１の容積を有し、前記第１の弁が開放すると、前記第１の容積より小さい第２の容積を有する内部可変容積空隙を有する弾性部材とを備え、
前記弾性部材が、前記雌型コネクタの前記雄型コネクタとの係合により前記弾性部材空隙が前記第２の容積に移り、前記雌型コネクタが前記雄型コネクタとの係合から外れることにより前記第２の容積から前記第１の容積に移り、これにより部分的真空状態を形成するように配置される雄型コネクタ。
【請求項１５】
前記第１の弁台座が前記筐体の前記近位端に配置され、
前記弾性部材空隙が前記第２の容積から前記第１の容積に移ることにより、前記管状筐体の前記遠位端に前記部分的真空状態を形成して、非係合状態の間、前記雄型及び雌型コネクタ間の境界面に存在する医療用流体を引き出す、請求項１４に記載の雄型コネクタ。
【請求項１６】
前記弾性部材が、前記雌型コネクタが閉鎖した後ある期間、前記空隙が前記第１の容積に移り、前記部分的真空状態が、非係合状態の間、前記雄型及び雌型コネクタ間の境界面に存在する医療用流体を引き出すように配置される、請求項１５に記載の雄型コネクタ。
【請求項１７】
前記第１の弁台座が、前記管状筐体の前記遠位端を通る前記流体の流れを制御するのに使用するために配置される遠位弁台座であり、
前記雄型コネクタがさらに、前記管状筐体の前記近位端を通る前記流体の流れを制御するのに使用するために配置される近位弁台座を備え、
前記第１の弁部材が、前記遠位弁台座を越える前記流体の流れを阻止するために前記遠位弁台座と係合する遠位弁部材であり、さらに前記近位弁台座を越える前記流体の流れを阻止するために前記近位弁台座と係合する近位弁部材を備え、
前記弾性部材が前記遠位弁台座及び前記近位弁台座の双方と係合するために前記内部プラグを偏向し、前記空隙の前記第１の容積は、前記近位及び遠位弁が閉鎖されているとき存在し、前記空隙の前記第２の容積は前記遠位弁が開放されているとき存在する、請求項１６に記載の雄型コネクタ。
【請求項１８】
雄型コネクタが雌型コネクタと係合する遠位端と、近位端と、内部弁とを含み、前記雌型コネクタが、前記雄型コネクタと係合する近位端と、遠位端と、内部弁とを含む雄型コネクタを雌型コネクタとの係合から外す方法であって、
前記雄型コネクタの前記近位端の流体から前記雄型コネクタと前記雌型コネクタの間の境界面を隔離するために、前記雄型コネクタの前記近位端で前記雄型コネクタ内の第１の弁を閉鎖することと、
前記境界面から前記境界面に残る流体を引き出すために、前記雄型コネクタと雌型コネクタの前記境界面に部分的真空状態を形成することとを含む方法。
【請求項１９】
部分的真空状態を形成するステップの前に、前記雌型コネクタの前記内部弁を閉鎖するステップをさらに含む、請求項１８に記載の方法。
【請求項２０】
部分的真空状態を形成するステップの後に、前記雄型コネクタの前記遠位端で弁を閉鎖するステップをさらに含む、請求項１９に記載の方法。
【請求項２１】
前記部分的真空状態を形成するステップが、前記雄型コネクタ内に部分的真空状態を形成することと、前記境界面にある流体を雄型コネクタ内に引き込むこととを含む、請求項１９に記載の方法。
【発明の詳細な説明】
【技術分野】
【０００１】
本発明は、公開番号第２００３／００３２９４０号、現在は米国特許第６，７４５，９９８Ａ１号である２００１年８月１０日に出願された出願第０９／９２７，１０９号の一部継続出願である公開番号第２００３／０１３６９３２Ａ１号である２００３年３月１３日に出願された出願第１０／３８９，６５２号の一部継続出願である。
【背景技術】
【０００２】
本発明は、雄型ルアーを介する流路を開放するために、雌型ルアー弁に取り付ける改良された雄型ルアー・コネクタ装置に関する。ルアーの係合が達成されると、これらの弁は医療用液体の流れの投与で使用するために、病院において静脈内（ＩＶ）装置の接続に使用される。
【０００３】
ルアー装置は特に、ＩＶに接続された管材料に雄型及び雌型コネクタ部を共に相互接続する要望のある様々な医療用途で使用される。ＩＶ流体交換の最も一般的なタイプは、ＩＶ装置に取り付けられた対応する容器で受け入れられるように設計されたノズルを装着したシリンジを使用する。容器は、患者の静脈に延在するＩＶに挿入されたラインに流体を導く中空の管状カニューレ又はポストを有することが多い。
【０００４】
典型的なルアー接続は、雌型ルアー・コネクタに挿入される雄型ルアー・コネクタを利用する。雄型ルアー・コネクタは雌型ルアー・コネクタのねじ山にねじ込まれ、流体が接続部から逃げたり漏出することなく２つのコネクタ間を通ることができるように２つのコネクタを係合する。これらの接続部は弛んだり外れたりしやすいので、これらの管を通る流体は漏れる可能性が常にある。化学療法処置で使用されるような有害な薬物を使用する場合、流体が漏れる可能性は危険な問題になる恐れがある。さらに、コネクタが係合しているとき流体が漏出しないとしても、一旦コネクタの係合が外れると、コネクタの先端に残っている流体の残余量はなお危険なものとなりうる。この量はコネクタから漏れる量より少ないかもしれないが、それに曝されるいずれの人にも害を与えるのに十分に有意でありうる。
【０００５】
したがって、ルアーが互いに係合すると、中に含まれる流体物質を確実に包含するルアー接続部が必要とされている。また係合が外れたとき、コネクタの使用者がルアーの先端面に残る有害な薬物から保護されるように、雄型−雌型接続部において雄型ルアー・コネクタを密閉するルアー接続部が必要とされる。
【発明の開示】
【発明が解決しようとする課題】
【０００６】
簡潔に及び一般的な用語において、本発明は、雌型コネクタから外れると部分的真空状態を形成して、雄型及び雌型コネクタ間の境界面にある流体を該境界面から引き出す雄型弁付きコネクタを対象とする。
【０００７】
本発明の態様によると、医療用流体の流れのために前方接触面及び内部弁を有する雌型ルアー・コネクタと接続する雄型ルアー・コネクタであり、該雄型ルアー・コネクタが、雌型ルアー・コネクタと係合し境界面を確立するように構成される遠位端、及び近位端を有する管状筐体と、雄型コネクタが雌型コネクタとの係合から外れる間、該雌型弁が閉鎖している期間に、管状筐体の遠位端に部分的な真空状態を形成する減圧手段とを備え、該減圧手段は、雄型及び雌型コネクタが非係合状態である間、境界面から該境界面に残る流体を引き出す雄型ルアー・コネクタが提供される。より詳細な態様で、減圧手段は管状筐体内に配置され、管状筐体の近位端を通る流体の流れを制御する第１の弁を備える。減圧手段はまた、管状筐体の遠位端を通る流体の流れを制御する第２の弁を備え、減圧手段はまた、該減圧手段が部分的な真空状態を形成する間、第２の弁を開放したままに制御するためのものでもある。
【０００８】
本発明によるさらに詳細な態様で、減圧手段はまた、雌型コネクタが雄型コネクタとの係合から外れる間、雌型コネクタ弁が閉鎖した後、最初に第１の弁を閉鎖するように制御し、第２の弁を開放したままに制御するためのものである。減圧手段は第１及び第２の弁の開閉を制御するアクチュエータを備え、さらに第１及び第２の弁を開閉するようにアクチュエータを制御するために、雌型コネクタの前方接触面によって移動可能であるように配置される作用面を備える。第１の弁は管状筐体の近位端に配置される近位弁を備え、第２の弁は管状筐体の遠位端に配置される遠位弁を備え、アクチュエータは近位弁及び遠位弁を共に開閉するために管状筐体内に配置される。
【０００９】
さらに別の態様で、減圧手段はさらに、近位弁及び遠位弁を共に閉鎖するためにアクチュエータを偏向するように配置される弾性部材を備える。弾性部材は、雄型コネクタが雌型コネクタとの係合から外れると第１の容積を有し、雄型コネクタが雌型コネクタと係合すると第１の容積より小さい第２の容積を有する、流体が中を流れる内部可変容積空隙を有し、弾性部材は、雌型及び雄型コネクタが非係合状態にあり遠位弁が閉鎖する間、第２の容積から第１の容積に移る際部分的真空状態を形成する。より詳細には、空隙は雄型及び雌型コネクタが係合すると第２の容積を有し、雄型及び雌型コネクタが非係合状態にあると該空隙が第１の容積に移り、これにより部分的真空状態を形成する。
【００１０】
さらに別の詳細な態様で、弾性部材は遠位弁用の弁台座と近位弁用の弁台座とを提供し、アクチュエータは遠位弁を閉鎖するために遠位弁台座に嵌合する遠位弁用の遠位弁部材を提供し、近位弁を閉鎖するために近位弁台座に嵌合する近位弁用の近位弁部材を提供する。弾性部材は作用面を形成し、アクチュエータは弾性部材に接触して弾性部材内に配置され、雌型コネクタの前方接触面との係合による弾性部材の移動により、遠位弁及び近位弁を開閉するアクチュエータの対応する移動が生じる。
【００１１】
他の態様で、医療用流体の流れための経路を確立するために前方接触面及び内部弁を有する雌型コネクタと接続する雄型コネクタであって、該雄型コネクタが、雌型ルアー・コネクタと係合し境界面を確立するように構成される遠位端、及び近位端を有する管状筐体と、管状筐体の遠位端を通る流体の流れを制御するのに使用するために配置される第１の弁台座と、管状筐体内に配置され、第１の弁台座を越える流体の流れを阻止するために第１の弁台座に係合する第１の弁部材を有する内部プラグと、第１の弁台座に係合するように内部プラグを偏向するために管状筐体内に配置され、第１の弁が閉鎖すると第１の容積を有し、第１の弁が開放されていると、第１の容積より小さい第２の容積を有する内部可変容積空隙を有する弾性部材とを備え、該弾性部材が、雌型コネクタの雄型コネクタとの係合により弾性部材空隙が第２の容積に移り、雌型コネクタが雄型コネクタとの係合から外れることにより該空隙が第２の容積から第１の容積に移り、これにより部分的真空状態を形成するように配置される雄型コネクタが提供される。
【００１２】
本発明による方法の態様によると、雄型コネクタが、雌型コネクタと係合する遠位端と、近位端と、内部弁とを含み、前記雌型コネクタが、前記雄型コネクタと係合する近位端と、遠位端と、内部弁とを含む雄型コネクタを雌型コネクタとの係合から外す方法であり、該方法が、雄型コネクタの近位端の流体から雄型コネクタと雌型コネクタの間の境界面を隔離するために、雄型コネクタの近位端で雄型コネクタ内の第１の弁を閉鎖することと、境界面から境界面に残る流体を引き出すために、雄型コネクタと雌型コネクタの境界面に部分的真空状態を形成することとを含む方法が提供される。さらに詳細な態様で、該方法はさらに部分的真空状態を形成するステップの間雌型コネクタの内部弁を閉鎖するステップを含む。該方法はさらに部分的真空状態を形成するステップの後、雄型コネクタの遠位端で弁を閉じるステップをも含む。該方法は部分的真空状態を形成するステップが、雄型コネクタ内に部分的真空状態を形成することと、境界面の流体を雄型コネクタ内に引き込むこととを含む。
【００１３】
本発明に上記の及び他の特徴及び利点は、本発明の原則の例証の目的で示される添付の図面と併せて、以下の好ましい実施例の詳細な説明から明確になろう。
【００１４】
本発明は、同様の部品に同様の参照番号が付される添付の図面と併せて、本発明の例示的実施例である以下の詳細の説明からよりよく理解されるであろう。
【実施例】
【００１５】
図１は、ルアー取付け具の雄型ルアーと雌型ルアーの接続の２つの構成要素の側面図である。取付け具は、既存のフラッシュ・トップ雌型ルアー弁を有する雌型ルアーと係合することを意図された雄型ルアー１０から構成される。雌型ルアー２４は、特定のタイプに限定されるものではないが、典型的なルアーをここに示す。ここに示す雌型ルアーは、弁が閉鎖したものである。この雌型ルアー２４は、カニューレ又はポスト２６を備えた筐体要素２８を含む。筐体２８の前方端の外側面に、雌型ルアー２４の雄型ルアー１０との係合を可能にするねじ山３０がある。この実施例で、雄型ルアー１０は筐体要素１２から構成される。筐体１２の内壁は、雌型ルアー・コネクタの対応するねじ山３０と係合するねじ山３２を含む。筐体１２は、前方に突出し、第１のくびれ領域３６及び第２のくびれ領域３８（図２参照のこと）を有する直径が縮小した内部管状部分１６を有する。内部管状部分は、前方の開口３３（図２参照のこと）と内部チャンバ１３を画定する。弁部材１８は、弾性部材、すなわちばね１４によって開口３３を密閉する延長位置へ偏向される。ばね１４は、チャンバ１３の遠位端と弁部材１８の間で作用する。（本明細書で使用されるように、“遠位”は雄型ルアーの後方端部であり、“近位”は前方端部であり、すなわち、図１及び２に示される図において左右の端部である。）弁部材１８は、弾性部２０及び前方先端部材２２を含む。図１は、係合していない位置の２つのルアー１０、２４を示す。他のタイプの雌型ルアー弁はカニューレ又はポストを含まない。例証の目的で、Ｌｅｉｎｓｉｎｇによる米国特許第５，６７６，３４６号及びＷｅｒｓｃｈｍｉｄｔによる米国特許第５，７８２，８１６号は、これらのタイプのルアー弁を示す。
【００１６】
図２から５は、互いに係合するようになる際の雄型ルアー１０及び雌型ルアー２４を示す。図２は、完全に係合が外れた２つのルアー１０、２４を示す。カニューレ又はポスト２６は、２つのルアーの間の流体の出入口のための開口４０を有してよい。他のダクト・システム（図示せず）が可能であり、使用することができる。カニューレ又はポスト２６は、スリーブ３４内のチャンバ内に取り付けられる。スリーブ３４は、ゴム製又は他の任意の好適な弾性物質であってよく、弁部材のストッパーとして機能する。スリーブ３４は、図２の係合が外れた位置で閉鎖して密閉される前方端開口３５を有する。雄型ルアーは、第１のくびれ領域３６と、第１のくびれ領域３６から後方に離間した第２のくびれ領域３８とを有する前方端部を有する。図３は、雌型ルアー２４の中に挿入され始める雄型ルアー１０を示す。ねじ山３０、３２が係合し始めると、筐体１２の前方端３３が、開口３５が開放させられてカニューレ２６の端部を越えるまで、スリーブ３４を後方に押す。次いでカニューレ又はポスト２６は、弁部材１８の先端と接触するようになり、これを後方に押し始め、これによりカニューレ又はポスト２６は弁要素前方部２２を移動させる。この移動によって、第１のくびれ領域３６の密閉面がその台座から分離し始める。先端部材２２が後方に押され始めると、第２の弾性部２０が縮み、弁要素空隙１９を圧縮する。これにより第１のくびれ領域３６が密閉から解放され、空隙１９に含まれていた液体を移動させる。この移動した液体は、一時的に雌型ルアー弁２４へと流れる。このような圧力が加わると、弁部材が圧縮され、さらに内側のチャンバ１３内へ押し込まれる。
【００１７】
図４は、雌型２４及び雄型１０がさらに一層係合したときのルアー部材の位置付けを示す。カニューレ又はポスト２６は、先端部材２２をさらに押し始め、第１の弾性部材１４を縮め、その結果第２のくびれ領域３８が密閉から解放される。この位置で図４の矢印で示すように、雄型ルアーの真空部２１にさらにカニューレ又はポストが挿入されることによって、より多くの液体が移動する。カニューレ又はポスト２６の開口４０によって、流体が雌型ルアー２４の中を通り外に出ることが可能になる。この移動した液体は、作用が逆になると再び満たされるであろう容積を形成する。
【００１８】
雄型ルアー弁１０が雌型ルアー弁２４から外れると、２つの弁が接続している間移動した液体の容積は元の位置に戻り、これにより相対的真空状態を形成する。雌型ルアー２４を雄型ルアー１０から取り外すと、第２のくびれ領域３８によって形成される主要な密閉部がこの台座と接触する。このことによって真空部２１を上流の液体から隔離させる。カニューレ又はポスト２６が引き戻されると、弾性部２０がその縮んでいない自然の形状に戻るので、空隙１９は元に戻る。このように回復すると、液体は空隙１９へ引き込まれる。第２のくびれ領域３８が閉鎖されるので、液体は雄型ルアー１０と雌型ルアー２４の間の境界面から引き出されるであろう。この効果は、カニューレ又はポスト２６が引き戻される際に元に戻されなければならない、カニューレ又はポスト２６によって示される容積によって高められる。この形成される相対的真空状態は、第１のくびれ領域３６の密閉面が再びその台座と接触するまで、真空部に液体を引き込もうとするであろう。
【００１９】
図５は、弁部材４２に一体式に接続されたばね１４と共に弁部材が形成されることを除いて、上記の２段式弁と同様のタイプを示す。筐体１２は内部スリーブ１６を含み、内部スリーブ１６の内側に内部チャンバ１３が配置される。この実施例の機能は、弁部材４２と一体式に接続されるばね１４がゴム弾性の又は他のタイプの材料で構成することができることを除いて、先に述べた実施例と同様である。
【００２０】
図６及び７は、本発明の他の実施例による雄型ルアーを示す。この装置は、一体式の弾性部材を備えた単段式ルアー弁である。この実施例で雄型ルアーは、雌型ルアー３０の対応するねじ山と係合するために、筐体の内壁にねじ山３２を備える筐体１２を有する。内部チャンバ１３は、弾性部材及び先端と共に一体式に形成される弁部材４２によって密閉される。したがって、この新規の弁部材４２は別個の弾性部材を含むのはなく、すべての部材が１つの部品に形成されることを除いて、先の実施例のように機能する。この実施例は雌型ルアーが弁部材４２と係合すると、部材４２が、上述のようにいくつかの異なる部品としてではなく、単一の部品として動く単段式ルアーを示す。図７は、雌型ルアー２４と係合し流体が流れるようにする図６のルアーを示す。２つのルアー１０、２４が係合すると、雌型ルアー２４のカニューレ又はポスト２６が弁部材４２を縮ませ、カニューレ又はポスト２６の開口４０を介して、また弁部材４２の後方端部の開口４４を介して流体が流れるようにする。
【００２１】
図８は本発明の別の実施例を示す。この実施例で、雄型ルアーの筐体１２は先の実施例と同様である。さらに、内側スリーブ１６内に弾性部材、すなわちばね１４が含まれる。しかしながらこの実施例で、弾性部材の端部に含まれる弁はボール４６として示される。このボールは、例えばゴム弾性の材料のように様々なタイプの材料で形成することができる。さらに、チャンバ１３の前方端部開口は、ボール弁４６を収容する一部が球状の台座４７として例示される。当業者は弾性部材、すなわちばね１４の端部に含まれる弁は、様々な形状であってよいことを認識するであろう。しかしながら、雄型ルアー１０の先端の形状は、雌型ルアー２４の先端の形状に対応するものである必要がある。
【００２２】
図９及び１０は、修正された雄型ルアーが、先の実施例の雌型ルアー２４に解放可能に固定可能な本発明のさらに別の実施例による修正されたコネクタを示す。修正された雄型ルアーは、円筒形の外壁５２と、後方端部５３から円筒形筐体の中へ突出し、筐体の長さの一部に沿って延在する内部管状支持体５４とを備えた筐体を備える。外壁５２は、雌型ルアーねじ山３０と係合する内部ねじ山３２と、筐体の後方端部５３から延出し、筐体の前方端部から外へ突出する内部支持体５４より長い直径とを有する。弾性スリーブ、すなわちブラダー部材５６は、その後方端部で管状部材５５と支持体５４の間に固定され、その前方端部開口５７まで管状部材５５内で前方に突出する。ブラダー部材５６は、図９の延長した非接続位置にあるとき、管状部材５５の内側に先細になった端部によって閉鎖され密閉される前方端部開口５８を有する。ブラダー部材５６の前方端部５８は、図９に示す位置において雄型ルアーの端部開口５７を密閉するための弁として作用する。
【００２３】
雄型ルアーの管状部材５５は、筐体の内側円筒形壁５２より直径が小さいので、部材５５と内壁５２の間に環状の間隙を残す。摺動スリーブ６０は、この環状間隙の管状部材５５の上に摺動可能に取り付けられる。スリーブ６０は、直径方向に対向する開口６２を有し、管状部材５５は、対向する細長く、軸方向に延在するスロット６４を有する。内部ブラダー、すなわちスリーブ部材５６の反対方向に向けられたガイド部分６５（例えばタブ、ウイング又はフィン）は、スロット６４を通して開口６２へ半径方向に外側に突出する。したがってスリーブが図９の完全に延出した位置にある場合、これは摺動スリーブを図示の位置へ前方に引っ張るであろう。ブラダー部材５６の波形部分６６は、ブラダー部材５６の前方端及び摺動スリーブ６０を延長位置に偏向させるためのばねとして作用する。
【００２４】
図１０は雄型ルアー５０と接続する雌型ルアー２４を示す。雌型ルアー筐体の前方端は、雄型筐体の円筒形壁にねじ込まれると、これは摺動スリーブ６０の前方端６７と係合し、スリーブ、したがってブラダー部材５６を後方に推し進め、ブラダー部材の前方端部を管状部材５５の前方端開口との密閉係合から引き離す。示されるように、これにより前方端開口５８がばね式に開くようになる。同時に管状部材５５の前方端は、スリーブ３４がカニューレ２６の端部を越えて進み、このカニューレが管状部材の開放した前方端へ延在するように、雌型ルアーのスリーブ３４を後方に押す。これにより、内部管状支持体、ブラダー部材５６の開口端部５８、及びカニューレ２６の開口４０を経由して２つのルアーを通って流体が流れるようになる。ルアーが分離すると、ブラダー部材５６の圧縮された波形部分６６が、移動して管状部材５５の前方端との密閉係合に戻るように前方端部を推し進め、いずれの流体の漏出も防ぐ。
【００２５】
図１１は弾性スリーブ、すなわちブラダー部材５６が波形部分を有さず、代わりに別個のばね部材６８を有することを除いて、代替の摺動作動弁を示す図９と同様の図である。ばね部材６８は例えば、金属又は弾性ゴム材料で形成されるいずれのタイプであってよい。雄型ルアー弁の機能は同様であり、単にばね部材６８が、先の波形部材と代わるだけである。
【００２６】
図１２は、カニューレ又はポストを有さない雌型ルアー弁と共に使用する代替の弁を示す、図１０と同様の図である。筐体２８の前方端の外側面は、雄型ルアー弁の摺動スリーブ６０の前方端６７と係合しこれを圧縮する。雌型ルアー弁筐体２８の前方端がさらに摺動スリーブ６０を移動させ続けるので、ブラダー部材５６は後方に移動し続け、管状部材５５の前方端開口との密閉係合からブラダー部材の前方端部を引き離す。これにより前方端開口５８がばね式に開放する。これにより、内部管状支持体、ブラダー部材５６の開口端部５８を経由して２つのルアーを通って流体が流れるようになる。ルアーが分離すると、先に記載したような密閉係合が再び生じる。
【００２７】
図１３は筐体要素を包含しない雄型ルアー弁を示す。この図は、雄型ルアー弁が筐体要素に包含されず代わりに自立型でありうることを除いて、図２と同様である。しかしながら雄型ルアー弁の機能は、雌型ルアー筐体との係合が雄型ルアー筐体に対して行われないことを除いては、図２について説明したものと同様である。
【００２８】
図１４及び１５は摺動スリーブ６０を包含しない雄型ルアー１００の実施例を示す。ルアー筐体１０２は、その上に弾性スリーブ又は部材１０６を配置した管状突出導管１１８を有する。弾性部材１０６のベース１１４は、筐体１０２の内部端壁１１２に当接し、管状突出部材１０４の内部端によって所定の場所に固定される。弾性部材１０６は、部材１０４の管状部分のスロット１１０にそれぞれ配置される１つ又は複数の側面に突出するフィン１０８を有する。雄型ルアーが閉鎖すると（図１４）、弾性部材１０６の先端１１６の開口が閉じ、雄型ルアー１００の開放端部１２０を密閉する。雄型ルアーが、接触面１２６を有するが中心コア・ロッド又はカニューレを有さない（図１５）雌型ルアー１２８と係合すると、面１２６はフィン１０８と係合し、雄型ルアーが雌型ルアーの中への移動することによって、フィン１０８が１０８’で示すようにスロット１１０内で誘導され、該フィンを矢印１０７で示すように筐体１０２へと後方に移動させ、１０６’で示すように弾性部材のベローズ部分を圧縮する。このことによって１１６’で示すように先端を開放させ、流体が開口１２０を通って、導管１１８の流路１２４及び１２２並びに筐体１０２にそれぞれ流れるようになる。周辺突出部１３２はＯリングシールとして機能し、ルアーが係合すると、弾性部材１０６の突出する前方縁部１３０が部材１４０の内側の傾斜面１３４と係合して密閉又は「ストッパー」効果を与え、Ｏリングシール領域を流体の流れがない、乾燥状態に保つ。
【００２９】
多くの図において簡略化のために、雌型ルアー１２８自体は示さないが、雄型ルアー１００の要素の動きのみを示す。このような動きは、図２、３、１２及び１５のような（限定するものではないが）他の図に示す方法における雄型／雌型ルアー係合した結果であることが理解されよう。同様に流体が中を流れる際、それらの係合位置に雄型及び雌型ルアーを維持するためのねじ山又は他の固定装置も、簡略化のためにすべての図において示さないが、図２、３、４、１０及び１２（限定するものではないが）で示すように、これらが存在することが理解されよう。
【００３０】
図１６及び１７は、図１４及び１５のものと同様であるが、内部プラグ１３８が導管１１８内にありチャネル１４８がプラグ１３８を通り越す実施例を示す。これらチャネルは、導管１１８の壁に形成する、又は導管１１８に接続された離間した支持体（図示せず）にプラグ１３８を装着するか、又はいずれかの他の便利な方法で形成されてよい。プラグ１３８の周辺面１４２は、雄型ルアーが閉鎖すると（図１６）、１４０で示すように弾性部材１０６の内側面の半径方向のランド１４４と接触する。雄型ルアーが雌型ルアーに進入すると、接触面１２６がフィン１０８と接触し、図１７の１０８’で示すようにフィンを後方に押し、これにより１０６’で示すように弾性部材を圧縮し、ランド１４４を固定されたプラグ１３８の面１４２との接触から移動させる。弾性部材の圧縮はまた、１１６’で示すように弾性部材の先端１１６を開放する。矢印１４６で示すように、開口１２０を通って導管１２４へ入り、プラグ１３８の周辺でチャネル１４８を通る流体の流れも可能になる。ランド１１４の軸方向の位置及び幅は、いつプラグ縁部１４２との接触が行われ、又は失われるか、これによりルアーがいつ開閉するかを決定し、また流体の逆流を回避する又は最小にするために真空効果を提供するように変更することができる。
【００３１】
図１８から２１は、図２１に示すように、雌型ルアー１２８と係合することで、雌型ルアーの接触面１２６が、弾性部材１０６の外側面１５２と直接接触するルアーの内側面となる「軟質」雄型ルアー１００の実施例を示す。図１８で、肩１５０と、１０８のようなフィンで、雌型ルアーの接触面と係合することができる突出構造でありうる周辺フランジとの２つの任意の要素を示す。肩１５０は、筐体１０２の部分１０２’内の連続する半径方向の肩であってよく、又は部分１０２’に半径方向に位置合わせされた離間した突起から構成されてよい（部分１０２’は、別個の部材であるが筐体１０２の受け台に取り付けられる部材として、図１８及び１９に示すが、筐体１０２の残りの部分と一体にしてもよい）。肩１５０は、雌型ルアー１２８の接触面１２６と係合し、２つのルアーの相対的移動を停止させ、これにより雄型及び雌型ルアーが係合することができる深さを制限する制限装置として機能する。突起１０９は、接触面１２６と部材１０６の面１５２の係合を分担することによって、弾性部材１０６の圧縮を助けることができる。部材１０６の先端領域１１６は図１８及び１９に示すように厚くされ、雌型ルアーの係合するネック内に若干拡張して、更なる密閉効果をもたらすことができる。
【００３２】
図２０及び２１において、任意の延長した筐体１０２を有し、部材１０６の面１５２が面１２６と接触して係合することによって雄型及び雌型ルアーが完全に係合するようにする軟質の雄型ルアー１００を示す。このような剛性導管１１８の上の部材１０６の係合及び圧縮により、先端１１６が開放し且つ端部１２０を通る流れが可能になる。
【００３３】
更なる実施例を図２２から２７に示す。図２２及び２３の実施例で、弁部材４２の機能と同様の機能の内部プラグ１５４を示す。プラグ１５４は、弾性部材１０６の半径方向ポケット１５６に挿入された一体式フィン又は半径方向フランジ１５８を有する。雌型ルアーとの係合により、１０６’、１５６’及び１５８’でそれぞれ示すように、雌型ルアー接触面が弾性部材１０６、そのポケット１５６及びフィン又はフランジ１５８を後方に押し、これによりプラグ１５４のプラグ・ヘッド１６０を１６０’で示す位置に引き戻して端部１２０を開放して導管１２４に流体を流す。
【００３４】
図２４から２７はその先端１１６”にスリット１６２を有する成型された弾性部材１０６ａを示す。雌型ルアー１２８と接触すると、弾性部材１０６ａの外側面１５２が雌型ルアーの接触面１２６と摩擦係合することにより、図に示すように弾性部材１０６ａが変形し、これにより１６２’で示すようにスリット１６２が開放して導管１２４に流体が流れるようになる。
【００３５】
次に図２８から３２を参照すると、本発明の態様による雄型コネクタ２００、及び本発明の態様による逐次的弁のタイミングを実証する種々の係合構成での雌型コネクタ２０２を示す。
【００３６】
ここで図２８を参照すると、雄型コネクタ２００は切り欠け斜視形態で示され、内部空隙２１２を有する弾性部材２１０を含む。弾性部材は縮められず、内部空隙は第１の内部容積を有する。弾性部材は、筐体２１４内及び管状突出部材２１６内に取り付けられる。弾性部材のベース２１８は、筐体の内壁２２０に接触し、管状突出部材の近位端２２２によって所定の位置に固定される。内部プラグ２２４は、弾性部材内に取り付けられる。プラグは、弾性部材の遠位端２３０によって形成される弁台座２２８と結合する遠位弁部材２２６を含む。内部プラグは、弾性部材によって形成される近位弁台座２３４と結合する近位弁部材２３２を含み、これはこの実施例ではポペット弁２０８のタイプとなる。内部プラグは、弾性部材に形成される半径方向ポケット２３８に挿入される一体式フィン又は半径方向フランジ２３６を含む。弾性部材は以下に記載するように、近位方向の逆の力が弾性部材を部分的に縮める又は圧縮させない限り、遠位方向に偏向力を与え、それ自体及び内部プラグを図２８に示す構成に戻すようにする。
【００３７】
図２９は分離したばかりの２つのルアー・コネクタ２００及び２０２を示す。この位置で雌型ルアー・コネクタ２０２の弁２０４は閉鎖され、雄型ルアー・コネクタ２００の第１の遠位弁２０６及び第２の近位弁２０８が閉鎖される。いずれかのコネクタを通る流れは、それぞれの弁が閉鎖するので妨げられる。
【００３８】
雄型コネクタ２００をより詳細に見ると、コネクタは、内部空隙２１２を有する弾性部材２１０を含む。図２８で弾性部材は縮められず、内部空隙は第１の内部容積を有する。弾性部材は、筐体２１４及び管状突出部材２１６に取り付けられる。弾性部材のベース２１８は筐体の内壁２２０に接触し、管状突出部材の近位端２２２によって所定の位置に固定される。内部プラグ２２４は弾性部材に取り付けられる。プラグは、弾性部材の遠位端２３０によって形成される弁台座２２８と結合する遠位弁部材２２６を含む。内部プラグは、弾性部材によって形成される近位弁台座２３４と結合する近位弁部材２３２を含み、この実施例でこれはポペット弁タイプ２０８となる。内部プラグは、弾性部材で形成される半径方向ポケット２３８に挿入される一体式フィン又は半径方向フランジ２３６を含む。弾性部材は以下に記載するように、近位方向の逆の力が弾性部材を圧縮させない限り、遠位方向に偏向力を与え、それ自体及び内部プラグを図２８に示す構成に戻すようにする。
【００３９】
図２８及び２９を共に参照すると、雄型コネクタ２００が雌型コネクタ２０２と係合することにより、雌型コネクタ接触面２４０が弾性部材の作用面２４４を近位方向に押し、これにより弾性部材接触面２４４、ポケット２３８及びフィン２３６及び内部プラグ２２４をまた近位方向に移動させる。十分な近位方向の移動が起こると、以下に詳細に記載するように、プラグは遠位弁台座２２８から外れ、これにより遠位弁２０６を開放し、近位弁台座２３４との係合から外れ、これにより近位弁２０８を開放する。管状突出部材２１６は、雌型コネクタ接触面２４０と接触することができるように、弾性部材の作用面２４４が中を通って突出するスロット２４２を含む。管状突出部材２１６はこの実施例で、他の形状も可能であるが標準ルアーの形状で形成される。筐体２１４は、２つを共により確実に固定するために、雌型コネクタのねじ山２４８と係合する内部ねじ山２４６を含んでよい。
【００４０】
雌型コネクタ２０２は、雌型弁２０４を形成するその近位端２５２に開口を有する内部ピストン２５０を含む。ピストンが一定の距離だけ雌型コネクタの筐体２５４内に移動すると、これが開放されることによって雌型弁が開放し、流体が雌型コネクタを通って流れるようになる。
【００４１】
次に図３０を参照すると、部分的に互いに連結した雄型２００及び雌型２０２コネクタを示す。この位置で、雌型ルアー・コネクタの前方接触面２４０は、雄型ルアー・コネクタの作用面２４４を近位方向に第１の遠位弁２０６を開放するのに十分遠くに押しやるが、雄型コネクタの第２の近位弁２０８は閉じたままである。この位置で次に弾性部材の空隙２１２がわずかに縮み、図２８に示す空隙の第１の容積より小さい内部容積を有する。管状突出部材、すなわち雄型ルアー部分２１６の遠位端２５６は、雌型ルアー・コネクタ２０２のピストン２５０を遠位方向に一部の距離だけ押しやる。雌型ルアー・コネクタの弁２０４は、ピストンの移動に関わらず依然として閉鎖している。
【００４２】
したがってこの図３０において、２つのコネクタ２００及び２０２が互いに係合しているので、雄型コネクタの遠位弁２０６が最初に開放するが、雄型コネクタの近位弁２０８及び雌型コネクタ弁２０４は閉鎖したままである。これは種々の部品の移動の相対的な距離及びサイズによるものである。雄型コネクタ弾性部材２１０の近位弁台座２３４は、プラグ２２４が遠位弁２０６を開放するのに必要な距離より長い距離を移動するまで、その弁２０８が開放しないよう十分な長さに設計される。近位弁が開放するのに必要とする移動距離は、遠位弁が開放に達するまでの移動距離より長い。同様に、雄型コネクタの遠位弁を開放するためのプラグの移動距離は、雌型コネクタ弁を開放するのに必要な雌型コネクタのピストン２５０の移動距離より小さくなるように選択される。
【００４３】
図３１は、図３０よりさらに共に結合した雄型２００及び雌型２０２ルアー・コネクタを示す。この構成で雄型ルアー・コネクタの遠位端２５６は、次に雌型コネクタ弁２０４が開放し、次に雌型コネクタを流れる流体が生じることができるように、雌型コネクタのピストン２５０を遠位方向により遠くに押しやる。雌型コネクタの接触面２４０は、さらに弾性部材２１０の作用面２４４を一層近位方向へ押しやり、さらに遠位弁２０６を開放するが、近位弁２０８は依然として閉鎖したままである。したがって、雄型及び雌型コネクタ間の３つの弁のうち２つの弁は、今のところ開放している。次に雌型コネクタを流体が通ることができるが、近位、すなわち上流弁２０８が閉じたままであることから雄型コネクタを通る流体の流れは妨げられたままである。明らかであるように、開放するのに必要とされる近位弁の移動の距離は、雄型コネクタ２００の遠位弁２０６の移動距離、及び開放に達するために雌型コネクタ弁２０４に移動する距離より長い。したがってこの実施例で、雄型コネクタの遠位弁を開放するための内部プラグ２２４の移動距離は、雌型コネクタ弁２０４を開放するのに必要とされる雌型コネクタのピストン２５０の移動距離より小さくなるように選択され、さらに雌型コネクタ弁を開放するより近位弁２０８を開放する方が長くなる。
【００４４】
図３２は、３つのすべての示される弁が開放し、流体が両方のコネクタの間及びそれらの中を流れることができるような雄型２００及び雌型２０２ルアー・コネクタの完全な作用効果のある係合を示す。この構成で、雌型コネクタ接触面２４０は、近位弁２０８を開放するために、近位方向に十分遠くに雄型コネクタの作用面２４４を押しやる。弾性部材２１０の圧縮可能な縮み空隙２１２は、完全に縮み、先の図２８から３１に示す容積よりもさらに小さい内部容積を有する。したがって本発明の態様による２つの弁、遠位すなわち下流弁及び近位すなわち上流弁を有する雄型コネクタの、内部弁を有する雌型コネクタとの結合において、開放する第１の弁は遠位雄型コネクタ弁である。開放する第２の弁は雌型コネクタ弁であり、開放する最後の弁は近位雄型コネクタ弁である。流体は次に上流ライン２６０から雄型コネクタ２００を通り、雌型コネクタ２０２を通り下流ライン２６２を通って出る。この場合、上流及び下流ラインは共に医療用管材料として示すが、他の装置を使用することもできる。さらに雄型コネクタ２００の上流接続装置２５８をルアー雌型コネクタとして示すが、他のタイプの結合装置を使用することもできる。同様に雌型コネクタ２０２の下流結合装置２６４を雄型ルアー・コネクタとして示すが、他のタイプの結合装置を使用することもできる。
【００４５】
雄型コネクタ２００と雌型コネクタ２０２の互いの係合からの開放又は分離は、上述のような弁開放のシーケンスと逆の弁閉鎖シーケンスとなるであろう。ちょうど詳細に記載したように、コネクタは図３２において共に完全に作用効果のある係合を示し、流体が両方の弁を通って流れることができる。図３１に係合が外れたときの弁閉鎖の第１段階を示す。雄型及び雌型ルアー・コネクタの分離が始まると、弾性部材がもたらす偏向力によって、雌型ルアー・コネクタの接触面２４０が遠位方向に移動することにより、雄型ルアー・コネクタの弾性部材２１０の作用面２４４のやはり遠位方向への移動が可能になる。図３１に示すように、雄型コネクタの近位弁２０８は閉鎖しているが、雄型コネクタの遠位弁２０６及び雌型コネクタ弁２０４は開放したままである。したがって図３１の構成において、次に雄型コネクタが、雄型コネクタ近位雌型コネクタ２５８に接続されうるように、上流ラインにあるいずれの流体に対しても閉鎖する。図３１に上流ライン２６０を強調した形態で示す。この構成で、次いで雄型コネクタの内部構成要素、及びこれにより雌型コネクタは、いずれの上流の流体からも隔離される。
【００４６】
図３０は、雄型コネクタ２００及び雌型コネクタ２０２の分離時の弁閉鎖の第２段階を示す。雄型及び雌型ルアー・コネクタの分離がさらに続くと、雄型ルアー・コネクタの遠位端２５６が後退して近位方向に移動し、これにより雌型ルアー・コネクタのピストン２５０も近位方向に戻ることにより、雌型コネクタ弁２０４を閉鎖することになる。次に雌型コネクタを通る流体の流れが妨げられる。したがって、ここで雄型及び雌型コネクタが共に上流ライン２６０及び下流ライン２６２のいずれの流体からも隔離される。
【００４７】
雄型コネクタ２００が図３０の構成から図２９の構成に移動し、その間弾性部材２１０が遠位方向に移動して遠位弁２０６を閉鎖する際、部分的真空状態が雄型コネクタ内に形成される。これは、弾性部材が図３０の構成から図２９の構成に戻る際、弾性部材２１０の空隙２１２が内部容積内で増大するからである。弾性部材の内部容積が増大し始めるとすぐに、雄型コネクタに流体を引き込むのに使用することができる部分的真空状態が形成される。互いの及び雌型コネクタの弁と関連するコネクタの弁の適切な順序付けによって、この部分的真空状態の力は、雄型コネクタと雌型コネクタ２０２の間の境界面に向けられ、これによりこの境界面に残っている流体を雄型コネクタに引き込む。
【００４８】
この時点で唯一開いたままの弁が雄型コネクタの遠位弁２０６であるように、弁は順序付けされるので、この部分的真空状態が存在することで、遠位弁２０６が閉鎖する前に、２つのコネクタ２００及び２０２の間の境界面、及び弾性部材２１０の遠位先端すなわち端部２３０に残っているいずれの流体も雄型コネクタに引き込む。コネクタがさらに分離すると、弾性部材の空隙２１２はさらに拡張し、図２９の構成に示すように遠位弁２０６が最終的に閉鎖するまでに、２つのコネクタの境界面からより多くの流体を引き込む。したがって図２９の構成で、その遠位端に雄型コネクタ２００を有する上流ライン２６０、及びその近位端に雌型コネクタ２０２を有する下流ライン２６２の両方がそれぞれのコネクタによって密閉され、それぞれがラインを隔離するための少なくとも１つの内部弁を有する。上流ライン２６０を隔離する場合、雄型コネクタ２００はラインの遠位端を密閉し、雌型コネクタ２０２との係合から外れる又は分離すると、コネクタの遠位端から過剰な流体をさらに引き出す。これは、苛性流体が上流ラインによって伝導され、この流体の一部が雌型及び雄型コネクタの間の境界面の表面に到達しうる場合に特に有益な特徴である。これらのコネクタが完全に分離し、このような苛性流体がその表面に残る場合、この苛性流体をコネクタを扱う臨床家に送達することができる。この種の流体は、皮膚表面に添加されるとヘルス・ケア・ワーカー及び患者に創傷を与える恐れがあるので、この真空状態による上流ラインでのこの流体の封じ込め、ドロー・バック機能は特に有益である。
【００４９】
図２８から３２に、コネクタの端部における管２６０及び２６２を示すが、これは単に例示の目的であり、制限的なものを意図するものではない。種々の伝導性のもの、容器及び他の構成要素は示される管の代わりに使用することができる。例えば、雄型コネクタ２００は管に接続される代わりにシリンジのノズル端部を形成してよい。雌型コネクタ２０２は例として、雄型コネクタに接続されたシリンジからの流体を医療用物質の小瓶に注入し、混合し、次いでシリンジに引き戻す小瓶アダプター又は小瓶アクセス装置の一部を形成してよい。他の用途が可能である。
【００５０】
上述の雄型ルアーの種々の実施例は、操作者がコネクタを流れる潜在的に危険な流体と接触する危険を低減させる、雄型及び雌型ルアーが分離する際の雄型ルアーの端部開口の自動密閉を提供する。
【００５１】
本発明のいくつかの例示の実施例を例示の目的でのみ上記に記載してきたが、当業者は、添付の特許請求の範囲によって定義される、本発明の範囲から逸脱することなく開示の実施例に修正することができることを理解されたい。
【図面の簡単な説明】
【００５２】
【図１】ルアー取付け具の雄型ルアーと雌型ルアーの接続の２つの構成要素の側面図である。
【図２】図１の線２−２で切り取った拡大断面図である。
【図３】構成要素が部分的に係合した状態の図２と同様の図である。
【図４】構成要素が完全に係合した状態の図３と同様の図である。
【図５】代替の一体形成されたばね部材を示す、図２の一部と同様の図である。
【図６】代替の単段式弁を示す、図５と同様の図である。
【図７】開放した弁を示す、図６と同様の図である。
【図８】ボールタイプの弁を示す、図５と同様の図である。
【図９】代替の摺動作用弁を示す断面図である。
【図１０】開放した弁を示す図９と同様の図である。
【図１１】代替の摺動作用弁を示す図９と同様の図である。
【図１２】カニューレ又はポストを有さない雌型ルアー弁と共に使用する代替の弁を示す図１０と同様の図である。
【図１３】筐体要素を含まない雄型ルアー弁の図である。
【図１４】スリーブを含まない雄型ルアーを示し、コア・ロッド又はカニューレを有さない雌型ルアーと接触する間、雄型ルアーの閉鎖位置（図１４）から開放位置（図１５）までの移動を示す図１１と同様の図である。
【図１５】スリーブを含まない雄型ルアーを示し、コア・ロッド又はカニューレを有さない雌型ルアーと接触する間、雄型ルアーの閉鎖位置（図１４）から開放位置（図１５）までの移動を示す図１１と同様の図である。
【図１６】弾性部材の内部に中央密閉部材を有する雄型ルアーを示し、コア・ロッド又はカニューレを有さない雌型ルアーと接触する間、雄型ルアーの閉鎖位置（図１６）から開放位置（図１７）までの移動を示す図１４及び１５と同様の図である。
【図１７】弾性部材の内部に中央密閉部材を有する雄型ルアーを示し、コア・ロッド又はカニューレを有さない雌型ルアーと接触する間、雄型ルアーの閉鎖位置（図１６）から開放位置（図１７）までの移動を示す図１４及び１５と同様の図である。
【図１８】雌型ルアー（コア・ロッド又はカニューレを有さない）の接触面と接触すると、後方に推し進められ弾性部材を後退させて開放する、弾性部材に組み込まれた周辺フランジを有する雄型ルアーを示す、図１１と同様の図である。
【図１９】雌型ルアー（コア・ロッド又はカニューレを有さない）の接触面と接触すると、弾性部材が後方に推し進められ、これが後退し開放するように十分な摩擦接続をもたらす平滑な外側接触面を備えた弾性部材を有する雄型ルアーの外観及び作用を示す図である。
【図２０】雌型ルアー（コア・ロッド又はカニューレを有さない）の接触面と接触すると、弾性部材が後方に推し進められ、これが後退し開放するように十分な摩擦接続をもたらす平滑な外側接触面を備えた弾性部材を有する雄型ルアーの外観及び作用を示す図である。
【図２１】雌型ルアー（コア・ロッド又はカニューレを有さない）の接触面と接触すると、弾性部材が後方に推し進められ、これが後退し開放するように十分な摩擦接続をもたらす平滑な外側接触面を備えた弾性部材を有する雄型ルアーの外観及び作用を示す図である。
【図２２】弾性部材の壁の中に突出しこれを外側に広げて、雄型ルアーの筐体のガイドの中に又はそれを通って延在させる半径方向延長部を有する弾性部材の内部に中央密封部材を有する雄型ルアーであって、このガイドがコア・ロッド又はカニューレを有さない雌型ルアーの接触面と係合し、この係合により弾性部材が後退し、開放されて、流体がルアー間及びそれらの中を流れるようにする雄型ルアーを示す、図１６及び１７と同様の図である。
【図２３】弾性部材の壁の中に突出しこれを外側に広げて、雄型ルアーの筐体のガイドの中に又はそれを通って延在させる半径方向延長部を有する弾性部材の内部に中央密封部材を有する雄型ルアーであって、このガイドがコア・ロッド又はカニューレを有さない雌型ルアーの接触面と係合し、この係合により弾性部材が後退し、開放されて、流体がルアー間及びそれらの中を流れるようにする雄型ルアーを示す、図１６及び１７と同様の図である。
【図２４】スリット開口を備えたわずかに膨らんだ先端を有し、概ね円錐形の接触くぼみを備えた雌型ルアーの内側面と接触する間、該スリットが圧縮され開放する雄型ルアーの弾性部材の別の実施例の側面立面図である。
【図２５】スリット開口を備えたわずかに膨らんだ先端を有し、概ね円錐形の接触くぼみを備えた雌型ルアーの内側面と接触する間、該スリットが圧縮され開放する雄型ルアーの弾性部材の別の実施例の端面立面図である。
【図２６】スリット開口を備えたわずかに膨らんだ先端を有し、概ね円錐形の接触くぼみを備えた雌型ルアーの内側面と接触する間、該スリットが圧縮され開放する雄型ルアーの弾性部材の別の実施例の側面立面図である。
【図２７】スリット開口を備えたわずかに膨らんだ先端を有し、概ね円錐形の接触くぼみを備えた雌型ルアーの内側面と接触する間、該スリットが圧縮され開放する雄型ルアーの弾性部材の別の実施例の端面立面図である。
【図２８】雌型コネクタから分離する間、逐次的弁のタイミングが行われ、先端から過剰の流体を除去するために雄型ルアー・コネクタ端部に部分的真空状態を生成するのに使用する、本発明の態様による複数弁付き雄型ルアー・コネクタの切り欠け概略図である。
【図２９】係合に先立ち、適合した雌型弁付きコネクタと位置合わせされた雄型コネクタを示す、図２８の雄型コネクタの側面断面図である。
【図３０】雄型コネクタの近位弁と雌型コネクタの弁が閉鎖したままの間、雄型コネクタの遠位弁が開放する位置まで、雄型及び雌型コネクタが部分的に係合するようになることを除いて、図２９と同様の図である。
【図３１】雄型コネクタの近位弁が閉じたままのとき、雄型コネクタの遠位弁が開放し雌型コネクタの弁が開放する位置まで、雄型及び雌型コネクタがさらに部分的に係合するようになることを除いて、図３０と同様の図である。
【図３２】雄型及び雌型コネクタが完全に係合するようになり、雄型コネクタの遠位弁及び近位弁の両方が開放し、さらに流体の流れが完全に両方のコネクタを通るように雌型コネクタも開放することを除いて、図３１と同様の図である。
【図１】
2008522729.tif 000003
【図２】
2008522729.tif 000004
【図３】
2008522729.tif 000005
【図４】
2008522729.tif 000006
【図５】
2008522729.tif 000007
【図６】
2008522729.tif 000008
【図７】
2008522729.tif 000009
【図８】
2008522729.tif 000010
【図９】
2008522729.tif 000011
【図１０】
2008522729.tif 000012
【図１１】
2008522729.tif 000013
【図１２】
2008522729.tif 000014
【図１３】
2008522729.tif 000015
【図１４】
2008522729.tif 000016
【図１５】
2008522729.tif 000017
【図１６】
2008522729.tif 000018
【図１７】
2008522729.tif 000019
【図１８】
2008522729.tif 000020
【図１９】
2008522729.tif 000021
【図２０】
2008522729.tif 000022
【図２１】
2008522729.tif 000023
【図２２】
2008522729.tif 000024
【図２３】
2008522729.tif 000025
【図２４】
2008522729.tif 000026
【図２５】
2008522729.tif 000027
【図２６】
2008522729.tif 000028
【図２７】
2008522729.tif 000029
【図２８】
2008522729.tif 000030
【図２９】
2008522729.tif 000031
【図３０】
2008522729.tif 000032
【図３１】
2008522729.tif 000033
【図３２】
2008522729.tif 000034
【国際調査報告】
2008522729.tif 000035
2008522729.tif 000036